(57)【要約】【課題】仮係止状態にあるレバーの回動操作前に、仮セット状態にある双方のハウジングの離脱を防止できるレバー式コネクタを提供する。【解決手段】相手側ハウジング１１と、相手側ハウジング１１に嵌脱されるハウジング２０と、ハウジング２０に回動自在に支持され、両ハウジング１１，２０を嵌合させるレバー３０と、を備えたレバー式コネクタ１０であって、レバー３０には、仮係止部３６ａを有した仮ロックアーム部３６が設けられ、ハウジング２０には、仮ロックアーム部３６の仮係止部３６ａに仮係止・離脱される被仮係止部２５が設けられると共に、レバー３０の仮係止解除中において仮セット状態にある相手側ハウジング１１とハウジング２０との離脱を阻止する仮セットアーム部２６が設けられ、相手側ハウジング１１には、仮ロックアーム部３６の仮係止部３６ａとハウジング２０の被仮係止部２５の仮係止状態を解除する解除リブ部１３が設けられている。【選択図】図６
2020149936.tif 000002
【特許請求の範囲】
【請求項１】
カムボスを有する相手側ハウジングと、
前記相手側ハウジングに嵌合・離脱されるハウジングと、
前記ハウジングに支軸を介して回動自在に支持され、前記カムボスと係合するカム溝を有し、仮係止位置から嵌合完了位置へ回動操作することで前記カム溝と前記カムボスとの係合によって前記相手側ハウジングを前記ハウジング側へ引き寄せて嵌合させるレバーと、を備えたレバー式コネクタであって、
前記レバーには、仮係止部を有し、弾性変形する仮ロックアーム部が設けられ、
前記ハウジングには、前記仮ロックアーム部の仮係止部に仮係止・離脱される被仮係止部が設けられると共に、前記仮ロックアーム部の仮係止部と前記ハウジングの被仮係止部との仮係止解除中において仮セット状態にある前記相手側ハウジングと前記ハウジングとの離脱を阻止する仮セットアーム部が設けられ、
前記相手側ハウジングには、前記仮ロックアーム部の仮係止部と前記ハウジングの被仮係止部の仮係止状態を解除する解除リブ部が設けられていることを特徴とするレバー式コネクタ。
【請求項２】
請求項１記載のレバー式コネクタであって、
前記解除リブ部の下面に仮セットビーク部が設けられ、
前記仮セットアーム部の先端には、前記解除リブ部の下面に沿って摺動する突起部を有し、
前記突起部が前記解除リブ部の下面から前記仮セットビーク部を乗り越える位置で、前記レバーの仮係止状態が解除されることを特徴とするレバー式コネクタ。
【発明の詳細な説明】
【技術分野】
【０００１】
本発明は、レバーの回動による低挿入力でコネクタ嵌合を行うことができるレバー式コネクタに関する。
【背景技術】
【０００２】
この種のレバー式コネクタとして、特許文献１に開示されたものがある。このレバー式コネクタ１は、図１７に示すように、相手側ハウジング８に嵌合・離脱されるフード部４を有したハウジング２と、このハウジング２の両側の支持軸３に両取付部５ａ，５ａが回動自在に支持されると共に、相手側ハウジング８に設けられたカムピン９と係合するカム溝６を有し、初期姿勢（仮セット位置）から嵌合完了位置へ回動操作することで、カム溝６とカムピン９との係合によって両ハウジング２，８を嵌合させるレバー５と、を備えている。このレバー５の両取付部５ａ，５ａには、レバー５を回動規制するための係止突部７をカムピン９のカム溝６への導入軌跡から外れた位置に設けてある。
【０００３】
そして、両ハウジング２，８の嵌合初期にカムピン９がカム溝６に導入されると、相手側ハウジング８の両側に設けられた押圧部８ａがレバー５の係止突部７と係合し、これを外側へ変位させてフード部４に設けられた係合溝４ａから外し、もってレバー５の回動規制が解除される。この回動規制の解除をカムピン９で行う場合と異なり、係止突部７はカム溝６内を横切るように変位することがないため、係止突部７の撓み量が小さく抑えられる。
【先行技術文献】
【特許文献】
【０００４】
【特許文献１】特開平９−２２３５３９号公報
【発明の概要】
【発明が解決しようとする課題】
【０００５】
しかしながら、前記従来のレバー式コネクタ１は、レバー５の仮セットロックの解除時における変位量を抑える構造であるため、仮セット状態にあるハウジング２と相手側ハウジング８の保持力が無く、レバー５の回動操作前に、双方のハウジング２，８が容易に離脱してしまう可能性がある。
【０００６】
そこで、本発明は、前記した課題を解決すべくなされたものであり、仮係止状態にあるレバーの回動操作前に、仮セット状態にある双方のハウジングの離脱を防止することができるレバー式コネクタを提供することを目的とする。
【課題を解決するための手段】
【０００７】
本発明は、カムボスを有する相手側ハウジングと、前記相手側ハウジングに嵌合・離脱されるハウジングと、前記ハウジングに支軸を介して回動自在に支持され、前記カムボスと係合するカム溝を有し、仮係止位置から嵌合完了位置へ回動操作することで前記カム溝と前記カムボスとの係合によって前記相手側ハウジングを前記ハウジング側へ引き寄せて嵌合させるレバーと、を備えたレバー式コネクタであって、前記レバーには、仮係止部を有し、弾性変形する仮ロックアーム部が設けられ、前記ハウジングには、前記仮ロックアーム部の仮係止部に仮係止・離脱される被仮係止部が設けられると共に、前記仮ロックアーム部の仮係止部と前記ハウジングの被仮係止部との仮係止解除中において仮セット状態にある前記相手側ハウジングと前記ハウジングとの離脱を阻止する仮セットアーム部が設けられ、前記相手側ハウジングには、前記仮ロックアーム部の仮係止部と前記ハウジングの被仮係止部の仮係止状態を解除する解除リブ部が設けられていることを特徴とする。
【発明の効果】
【０００８】
本発明によれば、ハウジングに設けられた仮セットアーム部により、仮係止状態にあるレバーの回動操作前に、仮セット状態にある相手側ハウジングとハウジングとの離脱を防止することができる。
【図面の簡単な説明】
【０００９】
【図１】本発明の一実施形態のレバー式コネクタを示す分解斜視図である。
【図２】上記レバー式コネクタの雄ハウジングの側面図である。
【図３】上記レバー式コネクタの雌ハウジングの側面図である。
【図４】上記レバー式コネクタの正面図である。
【図５】上記雌ハウジングの仮セットアーム部の挿入開始時の図４中Ｘ−Ｘ線に沿う断面図である。
【図６】上記仮セットアーム部の挿入開始時の図４中Ｙ−Ｙ線に沿う断面図である。
【図７】上記仮セットアーム部の挿入ピーク時の図４中Ｘ−Ｘ線に沿う断面図である。
【図８】上記仮セットアーム部の挿入ピーク時の図４中Ｙ−Ｙ線に沿う断面図である。
【図９】上記レバー式コネクタのレバーの仮ロックアーム部の仮係止解除開始時で仮セットアーム部の変位中の図４中Ｘ−Ｘ線に沿う断面図である。
【図１０】（ａ）は上記仮ロックアーム部の仮係止解除開始時で仮セットアーム部の変位中の図４中Ｙ−Ｙ線に沿う断面図、（ｂ）は同図（ａ）中Ｚ−Ｚ線に沿う断面図である。
【図１１】上記仮ロックアーム部の仮係止解除中で仮セットアーム部の変位中の図４中Ｘ−Ｘ線に沿う断面図である。
【図１２】（ａ）は上記仮ロックアーム部の仮係止解除中で仮セットアーム部の変位中の図４中Ｙ−Ｙ線に沿う断面図、（ｂ）は同図（ａ）中Ｚ−Ｚ線に沿う断面図である。
【図１３】上記仮ロックアーム部の仮係止解除中で仮セットアーム部の変位終了時の図４中Ｘ−Ｘ線に沿う断面図である。
【図１４】（ａ）は上記仮ロックアーム部の仮係止解除中時で仮セットアーム部の変位終了時の図４中Ｙ−Ｙ線に沿う断面図、（ｂ）は同図（ａ）中Ｚ−Ｚ線に沿う断面図である。
【図１５】上記仮ロックアーム部の仮係止解除完了時の図４中Ｘ−Ｘ線に沿う断面図である。
【図１６】（ａ）は上記仮ロックアーム部の仮係止解除完了時の図４中Ｙ−Ｙ線に沿う断面図、（ｂ）は同図（ａ）中Ｚ−Ｚ線に沿う断面図である。
【図１７】従来のレバー式コネクタの分解斜視図である。
【発明を実施するための形態】
【００１０】
以下、本発明の一実施形態を図面に基づいて説明する。
【００１１】
図１は本発明の一実施形態のレバー式コネクタの分解斜視図、図２は雄ハウジングの側面図、図３は雌ハウジングの側面図、図４はレバー式コネクタの正面図、図５は雌ハウジングの仮セットアーム部の挿入開始時の図４中Ｘ−Ｘ線に沿う断面図、図６は仮セットアーム部の挿入開始時の図４中Ｙ−Ｙ線に沿う断面図、図７は仮セットアーム部の挿入ピーク時の図４中Ｘ−Ｘ線に沿う断面図、図８は仮セットアーム部の挿入ピーク時の図４中Ｙ−Ｙ線に沿う断面図、図９はレバーの仮ロックアーム部の仮係止解除開始時で仮セットアーム部の変位中の図４中Ｘ−Ｘ線に沿う断面図、図１０（ａ）は仮ロックアーム部の仮係止解除開始時で仮セットアーム部の変位中の図４中Ｙ−Ｙ線に沿う断面図、図１０（ｂ）は図１０（ａ）中Ｚ−Ｚ線に沿う断面図、図１１は仮ロックアーム部の仮係止解除中で仮セットアーム部の変位中の図４中Ｘ−Ｘ線に沿う断面図、図１２（ａ）は仮ロックアーム部の仮係止解除中で仮セットアーム部の変位中の図４中Ｙ−Ｙ線に沿う断面図、図１２（ｂ）は図１２（ａ）中Ｚ−Ｚ線に沿う断面図、図１３は仮ロックアーム部の仮係止解除中で仮セットアーム部の変位終了時の図４中Ｘ−Ｘ線に沿う断面図、図１４（ａ）は仮ロックアーム部の仮係止解除中時で仮セットアーム部の変位終了時の図４中Ｙ−Ｙ線に沿う断面図、図１４（ｂ）は図１４（ａ）中Ｚ−Ｚ線に沿う断面図、図１５は仮ロックアーム部の仮係止解除完了時の図４中Ｘ−Ｘ線に沿う断面図、図１６（ａ）は仮ロックアーム部の仮係止解除完了時の図４中Ｙ−Ｙ線に沿う断面図、図１６（ｂ）は図１６（ａ）中Ｚ−Ｚ線に沿う断面図である。
【００１２】
図１に示すように、レバー式コネクタ１０は、カムボス１２を有する合成樹脂製の雄ハウジング（相手側ハウジング）１１と、この雄ハウジング１１に嵌合・離脱される合成樹脂製の雌ハウジング（ハウジング）２０と、この雌ハウジング２０に設けられた支軸２３を介して回動自在に支持され、雄ハウジング１１のカムボス１２と係合するカム溝３５を有し、操作部３１を回動操作することでカム溝３５とカムボス１２との係合によって雄ハウジング１１を雌ハウジング２０側へ引き寄せて雄雌両ハウジング１１，２０を嵌合させる合成樹脂製のレバー３０と、を備えている。
【００１３】
図１、図２に示すように、雄ハウジング１１は、前側に雌ハウジング２０のフード部２２内に挿入されるフード部１１ａを有している。また、雄ハウジング１１の両側面１１ｂ，１１ｂの中央には、円柱状のカムボス１２がそれぞれ一体突出形成されている。さらに、雄ハウジング１１の両側面１１ｂ，１１ｂのカムボス１２の下側には、前後方向に延びる解除リブ部１３が一体突出形成されている。この解除リブ部１３の先端１３ａが、後述する雌ハウジング２０の切欠き部（被仮係止部）２５とレバー３０の仮ロックアーム部３６の仮係止突起（仮係止部）３６ａとの仮係止状態を解除する解除部になっている。また、解除リブ部１３の下面１３ｃの中央には、台形状の仮セットビーク部１４が一体突出形成されている。尚、図２に示すように、解除リブ部１３の先端１３ａの後側には斜面１３ｂが設けられている。また、台形状の仮セットビーク部１４は、前側斜面１４ａと、ストレート面１４ｂと、後側斜面１４ｂを有している。さらに、図５に示すように、雄ハウジング１１のフード部１１ａ内には、雄端子（端子）１６のタブ部１６ａが露出している。
【００１４】
図１、図３、図５に示すように、雌ハウジング２０は、複数の端子収容室２１ａを有したブロック状のハウジング本体２１と、このハウジング本体２１の前側に一体突出形成され、内部に雄ハウジング１１のフード部１１ａが嵌め込まれるフード部２２と、を有している。このハウジング本体２１の両側面２１ｂ，２１ｂの中央には、支軸２３がそれぞれ一体突出形成されている。また、ハウジング本体２１の上面２１ｃの中央の前側には、弾性変形するロックアーム部２４を一体突出形成してある。このロックアーム部２４の自由端（先端）２４ａには、受け部２４ｂが一体突出形成されている。
【００１５】
図１、図３に示すように、雌ハウジング２０のフード部２２の両側部の中央の前側には、略矩形の切欠き部（被仮係止部）２５がそれぞれ形成されている。即ち、各切欠き部２５の下縁２５ａには、後述するレバー３０の仮ロックアーム部３９の仮係止突起３６ａが仮係止・離脱され、この下縁２５ａに仮ロックアーム部３６の仮係止突起３６ａが仮係止された際には、図６に示すように、レバー３０が仮係止位置（仮係止状態）に保持されるようになっている。
【００１６】
また、図１、図３に示すように、各切欠き部２５の下縁２５ａの前側には、仮セットアーム部２６が弾性変形自在に一体形成されている。この仮セットアーム部２６の先端（自由端）には、解除リブ部１３の下面１３ｃに沿って摺動する突起部２６ａを有している。この突起部２６ａが解除リブ部１３の下面１３ｃに沿って摺動し、図１４（ａ），（ｂ）に示すように、突起部２６ａが解除リブ部１３の下面１３ｃから仮セットビーク部１４をを乗り越えるまで、仮セットアーム部２６がレバー３０の仮係止解除中において仮セット状態にある雄ハウジング１１と雌ハウジング２０との離脱を阻止するようになっている。
【００１７】
また、図１に示すように、雌ハウジング２０のフード部２２とハウジング本体２１の複数の端子収容室２１ａの周囲の間には、ゴム製で四角環状のパッキン２８が介在されるようになっている。さらに、図５に示すように、雌ハウジング２０のフード部２２内のハウジング本体２１の複数の端子収容室２１ａの周囲には、前壁部２９ａを有した四角筒状で合成樹脂製のフロントホルダ２９が嵌め込まれている。フロントホルダ２９の前壁部２９ａには、ハウジング本体２１の複数の端子収容室２１ａに連通する矩形の開口部２９ｂが複数設けられている。尚、図５に示すように、ハウジング本体２１の端子収容室２１ａに収容された雌端子２１ｄは、ランス２１ｅにより係止されるようになっている。
【００１８】
図１、図６に示すように、レバー３０は、操作部３１と、この操作部３１の両側から延びる一対のアーム部３２，３２と、を備えている。
【００１９】
図１、図５に示すように、レバー３０の操作部３１の中央の下側には、係止突起３３が設けられている。この係止突起３３は、レバー３０が回動完了位置まで回動操作されると、雌ハウジング２０のロックアーム部２４の受け部２４ｂに係止（ロック）されるようになっている。この係止により、レバー３０の回動が規制される回動規制状態になる。また、レバー３０の係止突起３３と雌ハウジング２０のロックアーム部２４の受け部２４ｂの係止状態は、ロックアーム部２４の自由端２４ａ側を下方に押圧操作することで、係止突起３３からロックアーム部２４の受け部２４ｂが外れることで解除されるようになっている。
【００２０】
図１に示すように、レバー３０の各アーム部３２の中央の後側には、支軸２３に回動自在に支持される軸受孔３４が形成されている。また、各アーム部３２の内側には、円弧凹状のカム溝３５が形成されている。さらに、各アーム部３２の下側には、先端に仮係止突起（仮係止部）３６ａを有し、弾性変形する仮ロックアーム部３６が一体形成されている。そして、図１６（ａ），（ｂ）に示すように、レバー３０の仮ロックアーム部３６の仮係止突起３６ａと雌ハウジング２０の切欠き部２５の下縁２５ａとの仮係止状態が雄ハウジング１１の解除リブ部１３の先端１３ａで解除された直後（仮係止状態が解除された後、または、仮係止状態が解除されると同時）に雌ハウジング２０の仮セットアーム部２６の突起部２６ａが雄ハウジング１１の解除リブ部１３の仮セットビーク部１４を乗り越えるようになっている。
【００２１】
尚、図１、図４に示すように、雄ハウジング１１の両側面１１ｂ，１１ｂのカムボス１２の後側には、解除リブ部１３と平行に凸部１５がそれぞれ一体突出形成されている。そして、図４に示すように、雌ハウジング２０のフード部２２内に雄ハウジング１１が挿入される際に、雄ハウジング１１の凸部１５が雌ハウジング２０のフード部２２のフランジ部２２ａの両側に形成された凹部２２ｂ内に収容されてガイドされるようになっている。また、また、レバー３０が仮係止位置から回動完了位置まで回動操作されて、レバー３０の係止突起３３が雌ハウジング２０のロックアーム部２４の受け部２４ｂに係止されて回動規制状態に保持される際に、レバー３０のアーム部３２に設けられた仮ロックアーム部３６の仮係止突起３６ａは、雌ハウジング２０のフード部２２の両側部の切欠き部２５の下縁２５ａから該切欠き部２５の下側に形成された穴部２７に移動して収容されるようになっている。
【００２２】
次に、雄ハウジング１１の解除リブ部１３の先端１３ａでレバー３０の仮ロックアーム部３６の仮係止突起３６ａと雌ハウジング２０の切欠き部２５の下縁２５ａとの仮係止状態が解除され、雌ハウジング２０の仮セットアーム部２６の突起部２６ａが雄ハウジング１１の解除リブ部１３の仮セットビーク部１４を乗り越えるまでの過程を、図５〜図１６に沿って順に説明する。
【００２３】
図５及び図６に示すように、雌ハウジング２０のフード部２２内に雄ハウジング１１のフード部１１ａを挿入する雌ハウジング２０の仮セットアーム部２６の挿入開始時には、レバー３０の仮ロックアーム部３６の仮係止突起３６ａは雌ハウジング２０の切欠き部２５の下縁２５ａに仮係止されていて、雌ハウジング２０の仮セットアーム部２６の突起部２６ａは雄ハウジング１１の仮セットビーク部１４の前側斜面１４ａに当接している。この状態が雄ハウジング１１と雌ハウジング２０の仮セット状態であり、この仮セット状態は、仮セットアーム部２６の突起部２６ａが仮セットビーク部１４の前側斜面１４ａに当接して、仮セットアーム部２６が下方へ撓み変形（弾性変形）することで、その反力により保持される。即ち、仮セットアーム部２６の弾性変形による反力で仮セット状態にある雄ハウジング１１と雌ハウジング２０とは保持され、その保持力は、従来のものに比べて大幅に向上する構造になっている。
【００２４】
そして、図７及び図８に示すように、雌ハウジング２０の仮セットアーム部２６の挿入のピーク時には、レバー３０の仮ロックアーム部３６の仮係止突起３６ａは雌ハウジング２０の切欠き部２５の下縁２５ａに仮係止されていて、雌ハウジング２０の仮セットアーム部２６の突起部２６ａは、仮セットアーム部２６の弾性変形（変位）により、雄ハウジング１１の仮セットビーク部１４の前側斜面１４ａからストレート斜面１４ｂに乗り上げる。
【００２５】
図９及び図１０（ａ），（ｂ）に示すように、レバー３０の仮ロックアーム部３６の仮係止解除開始時では、雌ハウジング２０の仮セットアーム部２６の変位中であり、レバー３０の仮ロックアーム部３６の仮係止突起３６ａは雄ハウジング１１の解除リブ部１３の先端１３ａの斜面１３ｂに当接し始め、雌ハウジング２０の仮セットアーム部２６の突起部２６ａは雄ハウジング１１の仮セットビーク部１４の後側斜面１４ｃ寄りのストレート斜面１４ｂに当接している。
【００２６】
図１１及び図１２（ａ），（ｂ）に示すように、レバー３０の仮ロックアーム部３６の仮係止解除中で、雌ハウジング２０の仮セットアーム部２６の変位中は、レバー３０の仮ロックアーム部３６の仮係止突起３６ａは雄ハウジング１１の解除リブ部１３の先端１３ａの斜面１３ｂに当接し続け、雌ハウジング２０の仮セットアーム部２６の突起部２６ａは雄ハウジング１１の仮セットビーク部１４の後側斜面１４ｃの近くに来る。
【００２７】
そして、図１３及び図１４（ａ），（ｂ）に示すように、レバー３０の仮ロックアーム部３６の仮係止解除のピーク時では、雌ハウジング２０の仮セットアーム部２６の変位は終了し、レバー３０の仮ロックアーム部３６の仮係止突起３６ａは雄ハウジング１１の解除リブ部１３の先端１３ａの斜面１３ｂの終端に当接し、雌ハウジング２０の仮セットアーム部２６の突起部２６ａは雄ハウジング１１の仮セットビーク部１４の後側斜面１４ｃの終端に当接して、元の位置に戻る。これにより、レバー３０が回動操作可能となる。
【００２８】
図１５及び図１６（ａ），（ｂ）に示すように、レバー３０の仮ロックアーム部３６の仮係止解除完了時には、レバー３０の仮ロックアーム部３６の仮係止突起３６ａと雌ハウジング２０の切欠き部２５の下縁２５ａとの仮係止状態は雄ハウジング１１の解除リブ部１３の先端１３ａで解除され、雌ハウジング２０の仮セットアーム部２６の突起部２６ａは雄ハウジング１１の仮セットビーク部１４の後側斜面１４ｃを乗り越えて、解除リブ部１３の下面１３ｃに当接している。
【００２９】
以上実施形態のレバー式コネクタ１０によれば、レバー３０の仮ロックアーム部３６の仮係止突起３６ａと雌ハウジング２０の切欠き部２５の下縁２５ａとの仮係止解除中において仮セット状態にある雄ハウジング１１と雌ハウジング２０との離脱を阻止する仮セットアーム部２６を、雌ハウジング２０のフード部２２の両側部にそれぞれ設け、仮セットアーム部２６の弾性変形による反力で仮セット状態にある雄ハウジング１１と雌ハウジング２０とを保持するようにしたことで、レバー３０の回動操作前に仮セット状態にある雄ハウジング１１と雌ハウジング２０との離脱を確実に防止することができ、レバー３０の回動操作前には、雄ハウジング１１と雌ハウジング２０の仮セット状態を保持することができる。また、雌ハウジング２０の仮セットアーム部２６の変位タイミングとレバー３０の仮ロックアーム部３６の解除タイミングをズラすことで、レバー式コネクタ１０の仮セット力を低減することができる。
【００３０】
また、図１５及び図１６（ａ），（ｂ）に示すように、レバー３０の仮ロックアーム部３６の仮係止突起３６ａと雌ハウジング２０の切欠き部２５の下縁２５ａとの仮係止を解除した後には、雄ハウジング１１の解除リブ部１３の下面１３ｃに設けられた仮セットビーク部１４を雌ハウジング２０の仮セットアーム部２６の突起部２６ａが乗り越えていることで、レバー式コネクタ１０の保持力を向上させることができる。
【００３１】
尚、前記実施形態によれば、雌ハウジングの被仮係止部としての切欠き部とレバーの仮ロックアーム部の仮係止部としての仮係止突起を仮係止させるようにしたが、被仮係止部は、切欠き部の他に、凹部や凸部等でも良い。
【符号の説明】
【００３２】
１０  レバー式コネクタ
１１  雄ハウジング（相手側ハウジング）
１２  カムボス
１３  解除リブ部
１３ｃ  下面
１４  仮セットビーク部
２０  雌ハウジング（ハウジング）
２３  支軸
２５  切欠き部（被仮係止部）
２６  仮セットアーム部
２６ａ  突起部
３０  レバー
３５  カム溝
３６  仮ロックアーム部
３６ａ  仮係止突起（仮係止部）
【図１】
2020149936.tif 000003
【図２】
2020149936.tif 000004
【図３】
2020149936.tif 000005
【図４】
2020149936.tif 000006
【図５】
2020149936.tif 000007
【図６】
2020149936.tif 000008
【図７】
2020149936.tif 000009
【図８】
2020149936.tif 000010
【図９】
2020149936.tif 000011
【図１０】
2020149936.tif 000012
【図１１】
2020149936.tif 000013
【図１２】
2020149936.tif 000014
【図１３】
2020149936.tif 000015
【図１４】
2020149936.tif 000016
【図１５】
2020149936.tif 000017
【図１６】
2020149936.tif 000018
【図１７】
2020149936.tif 000019